(57)【要約】【課題】換気効率を向上すると共に、風雨が強い時の逆流を防止し、耐風性・耐漏水性を安価に実現すること。【解決手段】屋根面を形成する屋根下地材１３の頂部に設けられた換気用空間部１４は、その下面部材Ｙ３が屋根頂部の換気用空間部１４を跨ぐように配置され取付部７によって屋根下地材１３に固定されている。そして、台風時のように外の風力が強く、風や雨が逆流して棟瓦１８先端部の間隙部１９から侵入しようとする際には、その風力によってダンパー９が空間部５を閉めるように回動して一種の逆止弁のように作用し、風雨の侵入を遮断する機能を有している。そして、棟換気用部材１を形成する全ての部材を中央の棟部に集中して配設したことにより、流体通路抵抗が小さくなるので換気効率が一層向上すると共に、その製造コストを安価に実現することができる。【選択図】図２
2006138069.tif 000002
【特許請求の範囲】
【請求項１】
上面部材Ｘと下面部材Ｙとを、適宜間隔を置いて開口部を有する接続部材Ｚで連結してなり、該開口部及び前記上面部材Ｘと前記下面部材Ｙとの間隙を換気路とした棟換気用部材において、前記下面部材Ｙは左右の屋根下地材間の換気用空間部を跨ぐように取り付けられる取付部を備え、風力により前記換気路を閉鎖し得るダンパーを設けたことを特徴とする棟換気用部材。
【請求項２】
上面部材Ｘと下面部材Ｙとを、適宜間隔を置いて配置された接続部材Ｚで連結してなり、隣接する接続部材Ｚと接続部材Ｚとの間に形成される空間部及び前記上面部材Ｘと前記下面部材Ｙとの間隙を換気路とした棟換気用部材において、前記下面部材Ｙは左右の屋根下地材間の換気用空間部を跨ぐように取り付けられる取付部を備え、風力により前記換気路を閉鎖し得るダンパーを設けたことを特徴とする棟換気用部材。
【請求項３】
ダンパーの下部がヒンジにより接続部材Ｚ又は下面部材Ｙに回動自在に取り付けられている請求項１又は２記載の棟換気用部材。
【請求項４】
ダンパーが当接するストッパーが上面部材Ｘからなるか又は上面部材Ｘに延設されている請求項１〜３のいずれか１項に記載の棟換気用部材。
【請求項５】
ダンパーに衝撃吸収部材が設けられている請求項１〜４のいずれか１項に記載の棟換気用部材。
【請求項６】
ストッパーに衝撃吸収部材が設けられている請求項４記載の棟換気用部材。
【請求項７】
アルミ又は樹脂を押出成形してなる請求項１〜６のいずれか１項に記載の棟換気用部材。
【発明の詳細な説明】
【技術分野】
【０００１】
本発明は、主として一般住宅の屋根の棟部に設けられ、棟瓦と地瓦との隙間から換気する棟換気用部材に関する。
【背景技術】
【０００２】
従来より、棟瓦と地瓦との隙間から換気する棟換気装置としては様々の形態が提案されている。特に屋根の棟部に設けられた換気装置の代表例としては、図５に示したようなものが知られている（例えば、特許文献１参照）。
これによれば、垂木や野地板などからなり両流れ屋根面を形成する屋根下地材１３の頂部には隙間が設けられ、この隙間は、屋根裏に滞留する熱気や臭気が自然上昇力によって上昇し最初に集合して通過する屋根換気通路２２となる。そして屋根換気通路２２を跨ぐように立設させた第１換気口２８を有する補助部材２９が設けられ、さらに、この補助部材２９の外側には隙間を設けて立設すると共に、第２換気口３０が穿設され、且つ中央に棟木２３を支持する棟木支持部材２４が設けられ、これら補助部材２９及び棟木支持部材２４は屋根下地材１３に釘等（図示せず）によって固定される。
【０００３】
一方、屋根下地材１３の頂部付近には桟木２５を固定した後、この桟木２５に沿って桟瓦（地瓦）２６が掛止される。さらに、この桟瓦２６の上には密封部材３１を介して第３換気口３２及び第４換気口３３を有する通路形成部材３４が釘等（図示せず）によって棟木２３に固定される。そして、この通路形成部材３４の上に棟瓦２７が載置され、長寸釘、ビス等の固定具３５によって棟木２３に固定され、更に、この棟瓦２７の裏面と通路形成部材３４との間に換気通路３６が形成される。
かかる構成によって、屋根下地材１３の頂部に向かって下から上昇してくる空気は矢印Ｋで示したように屋根換気通路２２を通過した後、第１、第２換気口２８、３０をジグザグに通過し、さらに換気通路３６の第３、第４換気口３２、３３を通過して外に排出される（気流の流れを実線矢印で示す）。
【特許文献１】特許２９０１１８０号公報
【発明の開示】
【発明が解決しようとする課題】
【０００４】
しかしながら、上記従来の換気棟装置においては、通常は下から屋根地の頂部に向かって上昇する熱気・湿気・臭気等を伴う汚染空気は、屋根換気通路２２を通過し、続いて第１、第２換気口２８、３０をジグザグに通過し、最後に上面が棟瓦２７で形成される換気通路３６の第３、第４換気口３２、３３を通過して棟瓦２７の先端部から自然排出力によってスムーズに排出されるものであるが、一方、例えば、台風時のように異常に風雨が強いようなときには、桟瓦２６と棟瓦２７の瓦先端部３７とで形成される隙間から逆流する場合があるという問題があった。
【０００５】
更にまた、換気通路３６を形成するもう一方の側面は、鉄板等を板金加工して形成した通路形成部材３４であり、この部材の完成には、板金加工としてのせん断加工をはじめ、曲げ加工や孔明け加工等の工数大なる加工が必要で、必然的にコスト高になるという問題があった。
本発明は、上記諸課題に鑑み、台風時のように異常に風雨が強いようなときには、桟瓦（地瓦）と棟瓦の隙間からの逆流を防止し、耐風性・耐漏水性を改善する共に、部材コストの低減を図ることを目的する。
【課題を解決するための手段】
【０００６】
上記目的を達成するために、本発明の第１は、上面部材Ｘと下面部材Ｙとを、適宜間隔を置いて開口部を有する接続部材Ｚで連結してなり、該開口部及び前記上面部材Ｘと前記下面部材Ｙとの間隙を換気路とした棟換気用部材において、前記下面部材Ｙは左右の屋根下地材間の換気用空間部を跨ぐように取り付けられる取付部を備え、風力により前記換気路を閉鎖し得るダンパーを設けたことを特徴とする棟換気用部材を内容とする（請求項１）。
【０００７】
本発明の第２は、上面部材Ｘと下面部材Ｙとを、適宜間隔を置いて配置された接続部材Ｚで連結してなり、隣接する接続部材Ｚと接続部材Ｚとの間に形成される空間部及び前記上面部材Ｘと前記下面部材Ｙとの間隙を換気路とした棟換気用部材において、前記下面部材Ｙは左右の屋根下地材間の換気用空間部を跨ぐように取り付けられる取付部を備え、風力により前記換気路を閉鎖し得るダンパーを設けたことを特徴とする棟換気用部材を内容とする（請求項２）。
【０００８】
好ましい態様としての請求項３は、ダンパーの下部がヒンジにより接続部材Ｚ又は下面部材Ｙに回動自在に取り付けられている請求項１又は２記載の棟換気用部材である。
【０００９】
好ましい態様としての請求項４は、ダンパーが当接するストッパーが上面部材Ｘからなるか又は上面部材Ｘに延設されている請求項１〜３のいずれか１項に記載の棟換気用部材である。
【００１０】
好ましい態様としての請求項５は、ダンパーに衝撃吸収部材が設けられている請求項１〜４のいずれか１項に記載の棟換気用部材である。
【００１１】
好ましい態様としての請求項６は、ストッパーに衝撃吸収部材が設けられている請求項４記載の棟換気用部材である。
【００１２】
好ましい態様としての請求項７は、アルミ又は樹脂を押出成形してなる請求項１〜６のいずれか１項に記載の棟換気用部材である。
【発明の効果】
【００１３】
本発明の棟換気用部材は、その構成部材ＸとＹとを互いに対向させたうえ、開口部を有する接続部材Ｚによって連結して屋内からの換気流が通過する換気路を形成すると共に、通常の換気流の流れとは逆方向に流そうとする風力が発生した際には、その風力によって回動して換気路を閉鎖するダンパーを備えたことにより、逆風の時には、該ダンパーは即座に回動して一種の逆止弁のように作用し、これによって、屋内への風雨の侵入を完全に防止することが可能となる。
【００１４】
また、前述のような長めの接続部材Ｚに開口部を穿設することなく、接続部材Ｚを短めに形成し、隣接する接続部材Ｚと接続部材Ｚとの間に空間部を形成して、これを換気路とすることにより、穿設加工の手間が省け安価に棟換気用部材を製造することができる。
【００１５】
ダンパーの下部を接続部材Ｚ又は下面部材Ｙに設けたヒンジにより回動自在に取り付けたことにより、換気経路がシンプルになり従って通路抵抗が小さく換気効率を一層向上させることが可能となる。
【発明を実施するための最良の形態】
【００１６】
本発明の第１の棟換気用部材は、上面部材Ｘと下面部材Ｙとを、適宜間隔を置いて開口部を有する接続部材Ｚで連結してなり、該開口部及び前記上面部材Ｘと前記下面部材Ｙとの間隙を換気路として形成するとともに、前記下面部材Ｙは左右の屋根下地材間の換気用空間部を跨ぐように取り付けられる。
本発明の第２の棟換気用部材は、適宜間隔を置いて配置された複数の接続部材Ｚによって、その上下に配設された上面部材Ｘと下面部材Ｙとを連結してなり、互いに隣接する接続部材Ｚ間に形成される空間部と、上面部材Ｘと前記下面部材Ｙとの間隙を換気路として形成すると共に、下面部材Ｙは左右の屋根下地材間の頂部の換気用空間部を跨ぐように取り付けられる。
更に、上記第１及び第２の棟換気用部材には、いずれも接続部材Ｚ又は下面部材Ｙにはヒンジが設けられ、このヒンジを介し風力により空間部、換気路を閉鎖し得るダンパーが回動自在に設けられる。
【００１７】
また、ダンパーはその回動中心よりも上方の位置で回動するように構成することにより、換気経路を広くとって充分な換気量を確保すると共に、棟瓦の調整代を大きくして施工性を向上させることができる。
また、ダンパーが当接するストッパーは、上面部材Ｘの端部を利用するか又は上面部材Ｘに別途部材を延設するのが好ましいが、これらストッパーの端部又はダンパーの先端部に衝撃吸収部材を設けることにより、ダンパーが作動した際の衝撃が緩和され、衝撃音も減少する。
【００１８】
また、上面部材Ｘ、下面部材Ｙ及びこれらを連結する接続部材Ｚは、金属、樹脂等からなるのが好ましく、更に、アルミ又は樹脂の押出成形加工によって効率的に製造することができる。
【００１９】
以下、本発明の棟換気用部材及びこれを用いた実施の形態を図面に基づいて説明するが、本発明はこれらにより何等限定されるものではない。
【００２０】
（実施の形態１）
本発明の実施の形態１における棟換気用部材１は、図１（ａ）、（ｂ）に示すように、建物の棟に沿うように配設され、最上部の上面部材Ｘ２と最下部の下面部材Ｙ３とを、予め定められた所定間隔（ピッチＰ）を空けて配置される接続部材Ｚ４で連結され、これによって、互いに隣接する複数の接続部材Ｚ４間には空間部５が、また、上面部材Ｘ２と下面部材Ｙ３との間隙には換気路６が形成される。
また、下面部材Ｙ３には、後述する屋根下地材間の左右の屋根頂部の換気用空間部を跨ぐように取付部７が備えられ、これによって棟換気用部材１全体を固定支持するように形成される。
【００２１】
また、端部接続部材Ｚ４ａにはヒンジ８が設けられ、このヒンジ８を介し風力により空間部５、換気路６を閉鎖し得るダンパー９が回動自在に設けられ、さらに、ダンパー９が当接する上面部材Ｘ２の端部にはストッパー１０が延設されると共に、ダンパー９の先端部には衝撃吸収部材１１が設けられ、これによってダンパー９がストッパー１０に当接した際の衝撃が緩和される。
なお、図１（ａ）、（ｂ）には、ヒンジ８が端部接続部材Ｚ４ａに設けられた形態を示しているが、該ヒンジ８を下面部材Ｙ３に設けるようにしても良い。また、ストッパー１０として、上面部材Ｘ２の端部２ａを利用することもでき、また、上面部材Ｘ２を接続部材Ｚ４ａと内嵌めした構成の場合は、接続部材Ｚ４ａの上端部外側をストッパーとして利用することもできる。
【００２２】
また、上面部材Ｘ２、下面部材Ｙ３及びこれらを連結する接続部材Ｚ４は、アルミ又は樹脂の押出成形加工によって合理的に製造することが可能であり、特に、接続部材Ｚ４は、上面部材Ｘ２及び下面部材Ｙ３と比較して短尺部品であるため押出成形工程に続き自動切断して完成させても良い。
【００２３】
また、図１（ｂ）に示すように、棟換気用部材１の両端に配設される端部接続部材Ｚ４ａにはヒンジ８が設けられ、その間に配設される中間接続部材Ｚ４ｂにはヒンジ無しのものが使われることを基本にするが、棟換気用部材１の仕様としての材質や長さ寸法、耐久性、使用環境等に応じて中間接続部材Ｚ４ｂにもヒンジ８を設けても良い。
【００２４】
次に、この棟換気用部材１が屋根棟部に取り付けられた棟換気構造１２について図２を参照して説明する。図２は下面部材Ｙの取付部によって棟換気用部材が屋根下地材に取り付けられた状態の棟換気構造を示す断面図である。なお、各部材を固定する釘類、ビス類等の固定手段については従前と同様であるので図示せずに説明する。
【００２５】
図２に示すように、垂木や野地板、ルーフィング等からなり、両流れ屋根面を形成する屋根下地材１３の頂部には換気用空間部１４が設けられ、この換気用空間部１４は、屋根裏に滞留する汚染空気が上昇し最初に集合して通過する換気通路となる。そして、この上に前述した棟換気用部材１が、その下面部材Ｙ３が屋根頂部の換気用空間部１４を跨ぐように配置され取付部７によって屋根下地材１３に固定される。
【００２６】
一方、屋根下地材１３の頂部付近に桟木１５を固定した後、この桟木１５に沿って地瓦１６が掛止される。続いて、棟換気用部材１最上部の上面部材Ｘ２の上にレベル調整部材としての合木１７を配設した後、この上に棟瓦１８が配設され、合木１７と共に長寸のドリルビス１７Ａ等によって棟換気用部材１に固定される。
【００２７】
上記棟換気構造１２によって、屋根下地材１３の頂部に向かって上昇してくる汚染空気は矢印Ｊで示したように換気用空間部１４を通過した後、換気路６、空間部５を順次通過し、最終的には地瓦１６の表面と棟瓦１８の先端部とで形成される間隙部１９から外部へ排出される。
【００２８】
また、台風時のように外の風力が強く、風や雨が逆流して間隙部１９から侵入しようとする場合（矢印ｗ）には、その風力によってダンパー９が空間部５を閉めるように回動して一種の逆止弁のように作用し、風雨の侵入を遮断する。
なお、実際の施工においては、換気路６の長手方向の両端にはキャップ（図示せず）によって遮蔽される。
【００２９】
なお、ダンパーを下向きに取り付けることもできるが、図に示すようにダンパーを上向きに取り付ける方が好ましい理由としては、このようにすると換気経路が狭くなって充分な換気量を確保しにくく、また、棟瓦の調整代が狭くなって施工しにくくなるという問題が発生する。従ってダンパーを上向きに取り付けるのが好ましい。
【００３０】
本実施の形態のように棟換気用部材１に係る全ての部材を中央の棟部に集中して設けたことにより、すなわち、左右一対のダンパー９を棟換気用部材１の接続部材Ｚ４に回動可能に取付け、且つあたかも一体的に設けたことにより極めてコンパクトに形成出来、その製造コストを安価にすることができる。また、これによって流体通路抵抗が小さくなり換気効率を一層向上することが可能となる。
【００３１】
（実施の形態２）
本実施の形態２における棟換気用部材１は、図３に示すように、上面部材Ｘ２と下面部材Ｙ３とを、予め定められた所定間隔を空けて配置した複数の接続部材Ｚ４で連結し、これによって、互いに隣接する接続部材Ｚ４間には空間部５を、そして上面部材Ｘ２と下面部材Ｙ３との間隙には換気路６を形成した点、また、下面部材Ｙ３には、屋根頂部の換気用空間部１４を跨ぐように取付部７を備えて棟換気用部材１全体を固定支持するように形成した点、さらにまた、接続部材Ｚ４（又は下面部材Ｙ３）に設けたヒンジ８を介し、風力により空間部５、換気路６を閉鎖し得るダンパー９を回動自在に設け、且つダンパー９が上面部材Ｘ２の端部に延設されたストッパー１０に当接するように構成した点等々については、前述の実施の形態１の場合とその基本構造は同様である。
【００３２】
本実施の形態では、特に接続部材Ｚ４に換気路６の長手方向の両端を遮蔽するキャップ（図示せず）を装着するためのキャップ止ホール２０を設けて施工性を向上させた点、また、接続部材Ｚ４の下方部を下面部材Ｙ３に嵌設し、且つ下方に延設して逆Ｍ字形状に形成し、全体としての耐荷重性を強化した点等が前述の実施の形態１の場合と大きく異なる特徴点である。
【００３３】
（実施の形態３）
本実施の形態３における棟換気用部材１は、図４に示すように、前述の実施の形態２で説明した形態において、下面部材Ｙ３と地瓦１６の頭部との間に出来る略三角形状の隙間に、ここを通過する気流の流れを防止するためのシーラー２１を充填した点に特徴があり、この点以外の内容については前述の形態と同様である。
【産業上の利用可能性】
【００３４】
本発明の棟換気用部材は、棟瓦と地瓦との隙間を利用して換気する主として一般住宅を対象とした棟換気用部材であるが、棟瓦や地瓦の有無に拘らず、瓦葺きではない家屋、倉庫、小屋等、換気の必要な他の建築物の屋根にも適用することが可能である。
【図面の簡単な説明】
【００３５】
【図１】（ａ）本発明の実施の形態１における棟換気用部材の構成を示す断面図である。（ｂ）同棟換気用部材を側面から視た要部側面図である。
【図２】同棟換気用部材を取り付けた棟換気構造を示す断面図である。
【図３】本発明の実施の形態２における棟換気用部材を取り付けた棟換気構造を示す断面図である。
【図４】本発明の実施の形態３における棟換気用部材を取り付けた棟換気構造を示す断面図である。
【図５】従来の棟換気用部材を取り付けた棟換気構造を示す断面図である。
【符号の説明】
【００３６】
１  棟換気用部材
２  上面部材Ｘ
３  下面部材Ｙ
４  接続部材Ｚ
４ａ  端部接続部材Ｚ
４ｂ  中間接続部材Ｚ
５  空間部
６  換気路
７  取付部
８  ヒンジ
９  ダンパー
１０  ストッパー
１１  衝撃緩衝部材
１２  棟換気構造
１３  屋根下地材
１４  換気用空間部
１５  桟木
１６  地瓦
１７  合木
１７Ａ  ドリルビス
１８  棟瓦
１９  間隙部
２０  キャップ止ホール
２１  シーラー
２２  屋根換気通路
２３  棟木
２４  棟木支持部材
２５  桟木
２６  桟瓦（地瓦）
２７  棟瓦
２８  第１換気口
２９  補助部材
３０  第２換気口
３１  密閉部材
３２  第３換気口
３３  第４換気口
３４  通路形成部材
３５  固定具
３６  換気通路
３７  瓦先端部
【図１】
2006138069.tif 000003
【図２】
2006138069.tif 000004
【図３】
2006138069.tif 000005
【図４】
2006138069.tif 000006
【図５】
2006138069.tif 000007